(57)【要約】　　　（修正有）【課題】蓋の上面に水が溜まるような深い凹所がなくなり、また、開封操作が容易であり、開封後においても蓋の開閉が容易である開蓋防止装置付き密閉容器を提供する。【解決手段】上方へ狭く開口する深いチャンネル部６を口縁部に設けた軟質または半硬質プラスチック製の身１と、そのチャンネル部に差し込まれる外周壁１３を本体上面壁１２に垂設した硬質プラスチック製の蓋２とからなり、蓋の本体上面壁を周縁近くの段差１５により広く高所面１７に形成するとともに、高所面に糸底１０が掛かり得る浅溝１８を環状に設け、また、身のチャンネル部の外周部を蓋の外周壁に対する帯巻片１１として、その外周壁と凹凸により結合する密着形状に形成する一方、その結合を解きうるようにチャンネル部の下端で切り取り可能に形成した。【選択図】　　図３
2004083054.tif 000002
【特許請求の範囲】
【請求項１】
上方へ狭く開口する深いチャンネル部を口縁部に設けた軟質または半硬質プラスチック製の身と、そのチャンネル部に差し込まれる外周壁を本体上面壁に垂設した硬質プラスチック製の蓋とからなり、蓋の本体上面壁を周縁近くの段差により広く高所面に形成するとともに、高所面に糸底が掛かり得る浅溝を環状に設け、また、身のチャンネル部の外周部を蓋の外周壁に対する帯巻片として、その外周壁と凹凸により結合する密着形状に形成する一方、その結合を解きうるようにチャンネル部の下端で切り取り可能に形成したことを特徴とする開蓋防止装置付き密閉容器。
【請求項２】
上方へ狭く開口する深いチャンネル部を口縁部に設けた軟質または半硬質プラスチック製の身と、そのチャンネル部に差し込まれる外周壁を本体上面壁に垂設した硬質プラスチック製の蓋とからなり、身のチャンネル部の外周部を蓋の外周壁に対する帯巻片として、その外周壁と凹凸により結合する密着形状に形成する一方、その結合を解きうるようにチャンネル部の下端で切り取り可能に形成し、その切り取りのために、帯巻片の一部に切り口と共に摘みを設け、摘みを外側へ開く傾斜角度に形成したことを特徴とする開蓋防止装置付き密閉容器。
【請求項３】
蓋の本体上面壁に、身の口部壁の内側に密着して差し込まれる内周突条を垂設したことを特徴とする請求項１または２記載の開蓋防止装置付き密閉容器。
【発明の詳細な説明】
【０００１】
【発明の属する技術分野】
この発明は、例えば、魚介類や山菜等の加工食品を詰めて、途中で開けられないよう安全に販売するために使用するプラスチック製の開蓋防止装置付き密閉容器に関する。
【０００２】
【従来の技術】
開蓋防止装置付き密閉容器は、消費者までの流通機構において、他人に開けられないよう食品の安全性を確保するため、蓋をロックする開蓋防止装置を備え、一旦開封がなされるとその開蓋防止機能が失われるために、以後、開蓋が支障なく行われるものである。その例としては、この出願人に係る特願平７−１１３９５８号（特開平７−１１３９５８号公報）において提案したものを挙げることができる。
【０００３】
図５はその要部を示したもので、その密閉容器によれば、蓋３３の周縁部に断面逆Ｕ字形の被着縁部片３４を設け、それが身３２の上端の起立口縁部３６に密嵌するものであるため、蓋を開けるときには、その被着縁部片３４の反転外側の下端を指で上げる必要があるようにする一方、身には、外周面に環状突片３８を突設するとともに、その上に被着縁部片３４の下端が落ち込む縁落し溝４０を形成することによって、環状突片３８が被着縁部片３４の持ち上げの障害となるようにしたものであった。そして、最初に蓋を開けるときに、その障害を取り除くために、環状突片３８の突出基端に切取溝４２を形成し、一部に垂設した摘み４３により切取溝に沿って環状突片を切り取り得るようにした。
【０００４】
【発明が解決しようとする課題】
上記のような従来の開蓋防止装置付き密閉容器によれば、環状突片の存在により、蓋が開けられないロック状態が確保されると同時に、未開の安全が保証される。一方、水密性を確保するために、身の起立口縁部の外周に張出部４４を、内周に案内斜面４６をそれぞれ蓋の持ち上げに抗する角度で設け、汁が出ないようにその箇所４４，４６で密着結合するようにしていた。
【０００５】
しかし、このような密着構造は、被着縁部片３４を蓋に形成することになるため、蓋には広く凹所４８を有し、この凹所４８に何らかの理由、例えば使用中における結露や他の容器からの汁漏れ等により水が溜まることがあり、その底面にラベルが貼られていると剥離の原因ともなるという不都合があった。
【０００６】
また、摘み４３が垂下していたので、環状突片３８を取り除くための摘み操作が容易ではなく、開封後においても張出部４４や案内斜面４６での結合があるため、蓋の開閉が容易ではなかった。
【０００７】
この発明は、上記のような実情に鑑みて、蓋の上面に水が溜まるような深い凹所がなくなり、また、開封操作が容易であり、開封後においても蓋の開閉が容易である開蓋防止装置付き密閉容器を提供することを目的とした。
【０００８】
【課題を解決するための手段】
上記の目的を達成するために、第一発明は、上方へ狭く開口する深いチャンネル部を口縁部に設けた軟質または半硬質プラスチック製の身と、そのチャンネル部に差し込まれる外周壁を本体上面壁に垂設した硬質プラスチック製の蓋とからなり、蓋の本体上面壁を周縁近くの段差により広く高所面に形成するとともに、高所面に糸底が掛かり得る浅溝を環状に設け、また、身のチャンネル部の外周部を蓋の外周壁に対する帯巻片として、その外周壁と凹凸により結合する密着形状に形成する一方、その結合を解きうるようにチャンネル部の下端で切り取り可能に形成したことを特徴とする開蓋防止装置付き密閉容器を構成した。
【０００９】
また、第二発明は、上方へ狭く開口する深いチャンネル部を口縁部に設けた軟質または半硬質プラスチック製の身と、そのチャンネル部に差し込まれる外周壁を本体上面壁に垂設した硬質プラスチック製の蓋とからなり、身のチャンネル部の外周部を蓋の外周壁に対する帯巻片として、その外周壁と凹凸により結合する密着形状に形成する一方、その結合を解きうるようにチャンネル部の下端で切り取り可能に形成し、その切り取りのために、帯巻片の一部に切り口と共に摘みを設け、摘みを外側へ開く傾斜角度に形成したことを特徴とする開蓋防止装置付き密閉容器を構成した。
【００１０】
【作用】
上記の構成によれば、身に食品を詰めた後に蓋をするときには、身のチャンネル部に蓋の外周壁を相互の凹凸に抗して差し込むが、この凹凸により容易に蓋を外すことができないロック状態となる。ロック状態を解除するには、摘みにより切り口から帯巻片を切り取る。そうすると、凹凸の結合が無くなるので、以後は蓋を容易に開閉できることになる。
【００１１】
第一発明では、蓋の本体上面壁では高所面の段差がリブの働きをするため、ロック状態が安定となり、また、蓋の開閉を容易になすことができる。また、第二発明では、摘みが外側へ出る傾斜に形成されているので、それを容易に摘みながら開封操作をすることができる。
【００１２】
【発明の実施の形態】
この発明において、容器の形状については、図面では平面的に矩形に近い形状を図示したが、矩形の各辺が外側に張り出した楕円に近い形状とすることもあるし、円形や楕円形であったも良い。また、蓋２に内周突条１４を設けてあると（請求項３）、開封後においても、汁が漏れない水密性が確保される。
【００１３】
この内周突条１４および段差１５は、開蓋防止装置３を確実にする。しかも、段差１５により蓋２には、広く高所面１７を有するので、蓋２に水が溜まるような不都合がなく、浅溝１８に上の容器の糸底１０を掛けて安定して積み上げることができる。また、開蓋防止装置の主体となる帯巻片１１を切り取るために、切欠溝２２を設ける。しかし、切り取り部分が鎖線接触等であっても良い。摘み２５の傾斜については、垂直に対して例えば３０度、４０度に反る角度である。
【００１４】
身１の帯巻片１１と蓋２の外周壁１３とが凹凸により結合することにより、開蓋防止装置が構成されるが、凹凸については、外周に沿った形状である限り特に限定するものではなく、図示では、掛止凹溝１９および掛止凸条２０として単なる谷形、山形としたが、汁が漏れなく且つ不正に蓋２が開けられないように、様々に形成することができる。例えば、汁が外へ出る上り方向に逆止めとなる形状が考えられる。
【００１５】
【発明の効果】
以上説明したように、この発明によれば、消費者において開封されるまでは不正に開けられる恐れがなく安全に流通させることができ、しかも、開封後は蓋を容易に開閉できる。また、第一発明では、そのような構造を取るために蓋に凹所を設けないので、蓋の上面に水が溜まる不都合がなくなり、また、第二発明では、開封のための摘みが外へ出る傾斜であるため、容易に開封することができるという優れた効果がある。
【００１６】
【実施例】
次に、この発明の実施例を図面に基づいて説明する。
【００１７】
図面は一実施例を示したもので、その開蓋防止装置付き密閉容器は、軟質ないし半硬質プラスチックで射出成形された身１と、硬質のプラスチックで射出成形された蓋２とからなり、身１と蓋２との間に開蓋防止装置３とその解除装置５とを具備している。
【００１８】
身１は、上端にＵ字形断面のチャンネル部６が形成され、下端に糸底１０が形成される。そのうち、チャンネル部６は、身１の側壁の一部としての口部壁７を内側とするもので、口部壁７が垂直に起立して形成され、底部片９を介して帯巻片１１をその口部壁７と並列に設け、口部壁７と帯巻片１１との間が幅狭く深い溝として形成される。
【００１９】
蓋２は、ほぼ平らな本体上面壁１２を主体とするもので、その周縁部に身１のチャンネル部６に嵌入される外周壁１３が形成され、併せて、口部壁７の内側に密嵌して差し込まれる内周突条１４も形成される。また、本体上面壁１２には、周縁部に段差１５を設けることにより、幅広く高所面１７を形成し、高所面１７に身１の糸底１０が係る浅溝１８が設けてある。なお、外周壁１３よりも外側に突き出る幅であるため、外周に蓋２を開く指の掛かりとなる鍔部１２ａを有する。
【００２０】
開蓋防止装置３は、身１のチャンネル部６のうちの帯巻片１１の存在によるものであって、帯巻片１１の内面に上下２段に外周面に沿って大小の掛止凹溝１９，１９を設け、蓋２の外周壁１３にはその掛止凹溝１９，１９に掛かる掛止凸条２０，２０が形成される。また、この掛止凹溝１９，１９と掛止凸条２０，２０との結合により汁洩れ防止機能（水密性）を有するもので、密着結合させてある。したがって、蓋２を被せる際にこの密着が外周壁１３を差し込む抵抗となるが、身１が軟質であるので、その差し込みに支障はない。
【００２１】
解除装置５は、開蓋防止装置３を構成する帯巻片１１を切り取り得るようにしたもので、帯巻片１１を突条９と線接触するように切欠溝２２を設け、さらに、一角部分において、帯巻片１１にその帯巻きを解除する切り口２１を設け、切り口２１に右上がりに傾斜し順次細くなる延長部２７が形成され、切り口２１が開かないようその開き口に千切れやすい細い連結部２３を形成してある。また、切り口２１の右寄りには摘み２５を突設し、摘まみやすく外側へ開く傾斜に形成してある。さらに、摘み２５の外面には溝条による爪掛け２９，２９を形成してある。したがって、爪掛け２９に爪を掛けながら摘み２５を摘まむことにより、切り口２１に開く力を強く及ぼすことができる。
【図面の簡単な説明】
【図１】この発明の開蓋防止装置付き密閉容器の正面図である。
【図２】同容器の平面図である。
【図３】図２のＡ−Ａ線矢視において積み重ねた状態で示す同容器の拡大断面図である。
【図４】開封後の同容器の拡大断面図である。
【図５】従来例の説明図である。
【符号の説明】
１　身
２　蓋
３　開蓋防止装置
５　解除装置
６　チャンネル部
７　口部壁
１０　糸底
１１　帯巻片
１２　本体上面壁
１３　外周壁
１４　内周突条
１５　段差
１７　高所面
１８　浅溝
１９　凹凸としての掛止凹溝
２０　凹凸としての掛止凸条
２１　切り口
２５　摘み
【図１】
2004083054.tif 000003
【図２】
2004083054.tif 000004
【図３】
2004083054.tif 000005
【図４】
2004083054.tif 000006
【図５】
2004083054.tif 000007